(57)【要約】【課題】視認され得る程度の不要な明暗縞が記録されることを効果的に防止することができるホログラムを製造する方法を提供する。【解決手段】製造方法は、透過型ホログラム原版４０を含む記録原版３０をホログラム記録材料２０に対して傾斜して配置する工程と、記録原版へ透過型ホログラム原版のブラッグ条件を満たすように光を入射させて、記録原版から出射する０次光および１次光をホログラム記録材料に照射する工程と、を含む。【選択図】図２
2011232511.tif 000002
【特許請求の範囲】
【請求項１】
透過型ホログラム原版を含み互いに対向する第１面および第２面を有した記録原版であって、前記記録原版の前記第１面の側から前記透過型ホログラム原版のブラッグ条件を満たすようにして入射する入射光の一部が、前記透過型ホログラム原版で回折された１次光として、前記記録原版の前記第２面への法線方向に対して反時計回りを正として第１角度をなす方向に前記第２面の側から出射するとともに、前記入射光の別の一部が、前記透過型ホログラム原版内を直進する０次光として、前記記録原版の前記第２面への法線方向に対して反時計回りを正として前記第２角度をなす方向に前記第２面の側から出射するようになっている、前記記録原版を、前記第２面がホログラム記録材料の側に位置し、且つ、前記第２面が前記ホログラム記録材料に対して時計回りを正として前記第１角度および前記第２角度を足し合わせた角度だけ傾斜するようにして、配置する工程と、
前記ホログラム記録材料に対して傾斜して配置された前記記録原版へ前記第１面の側から前記透過型ホログラム原版のブラッグ条件を満たすように光を入射させて、前記記録原版から出射する０次光および１次光をホログラム記録材料に照射する工程と、を含む、
ことを特徴とする透過型ホログラムの製造方法。
【請求項２】
前記記録原版と前記ホログラム記録材料との間には空気のみが介在する、
ことを特徴とする請求項１に記載の透過型ホログラムの製造方法。
【請求項３】
前記記録原版は、前記透過型ホログラム原版に重ねられ前記第１面をなす反射防止層と、前記透過型ホログラム原版に重ねられ前記第２面をなす第２反射防止層と、のいずれか少なくとも一つを、さらに含む、
ことを特徴とする請求項１または２に記載の透過型ホログラムの製造方法。
【請求項４】
前記記録原版の前記第１面および前記第２面は互いに対して傾斜した平坦面である、
ことを特徴とする請求項１〜３のいずれか一項に記載の透過型ホログラムの製造方法。
【請求項５】
前記記録原版は、前記透過型ホログラム原版の前記ホログラム記録材料に対面する側とは反対の側に重ねて配置され、互いに対して傾斜した一対の平坦な主面を有した透明部材を、さらに含む、
ことを特徴とする請求項４に記載の透過型ホログラムの製造方法。
【請求項６】
反射型ホログラム原版を含み互いに対向する第１面および第２面を有した記録原版であって、前記記録原版の前記第１面への法線方向に対して反時計回りを正として第１角度をなす方向から前記記録原版へ前記第１面の側から入射する光が、前記反射型ホログラム原版で回折された１次光として、前記記録原版の前記第１面への法線方向に対して反時計回りを正として第２角度をなす方向に前記第１面の側から出射するようになっている、前記記録原版を、前記第１面がホログラム記録材料の側に位置し、且つ、前記第１面が前記ホログラム記録材料に対して時計回りを正として前記第１角度および前記第２角度を足し合わせた角度だけ傾斜するようにして、配置する工程と、
前記ホログラム記録材料を透過した後に、前記反射型ホログラム原版のブラッグ条件を満たすようにして前記記録原版へ前記第１面の側から入射するよう、前記ホログラム記録材料へ一方の面の側から光を照射するとともに、前記反射型ホログラム原版で回折されてなる１次光を前記ホログラム記録材料へ他方の面の側から照射する工程と、を含む、
ことを特徴とする反射型ホログラムの製造方法。
【請求項７】
前記記録原版と前記ホログラム記録材料との間には空気のみが介在する、
ことを特徴とする請求項７または８に記載の反射型ホログラムの製造方法。
【請求項８】
前記記録原版は、前記反射型ホログラム原版に重ねられ前記第１面をなす反射防止層と、前記反射型ホログラム原版に重ねられ前記第２面をなす反射防止層または光吸収層と、のいずれか少なくとも一つを、さらに含む、
ことを特徴とする請求項６〜８のいずれか一項に記載の反射型ホログラムの製造方法。
【請求項９】
前記記録原版の前記第１面および前記第２面は互いに対して傾斜した平坦面である、
ことを特徴とする請求項５〜８のいずれか一項に記載の反射型ホログラムの製造方法。
【請求項１０】
前記記録原版は、前記反射型ホログラム原版の前記ホログラム記録材料に対面する側とは反対の側に重ねて配置され、互いに対して傾斜した一対の平坦な主面を有した透明部材を、さらに含む、
ことを特徴とする請求項９に記載の透過型ホログラムの製造方法。
【発明の詳細な説明】
【技術分野】
【０００１】
本発明は、ホログラム原版を用いてホログラムを製造するホログラムの製造方法に係り、とりわけ、視認され得る程度の不要な明暗の縞が記録されることを防止することができるホログラム製造方法に関する。
【背景技術】
【０００２】
従来、二光束の干渉により生じる明暗の縞（干渉縞）をホログラム記録材料（感光材料）に記録してなる体積型ホログラムが、知られている。体積型ホログラムは、いわゆるブラッグ条件と呼ばれる波長および光路方向に関する条件を満たす光を、高い回折効率で回折する光学素子である。このホログラムは、その回折機能よって、高い意匠性および高い識別性を呈することから、種々の分野で使用されている。とりわけ、ホログラムは、優れた真贋判定指標を提供することができ、これにより、真正性を標示する真正性標示体としても用いられている。
【０００３】
体積型ホログラムは、ホログラム記録材料に干渉性を有した二つの光束（参照光および物体光）を互いに異なる方向から照射することにより、製造され得る。この製造方法では、二つの光束が干渉することにより干渉縞（明暗縞）が生成され、感光性を有したホログラム記録材料は、この干渉縞をなす光の強弱パターンに対応して反応する。結果として、干渉縞が、何らかの縞状パターン、例えば屈折率の変化、透過率の変化、あるいは、形状変化（凹凸パターンの形成）として、ホログラム記録材料に記録される。そして、ブラッグ条件を満たす前記光は、感光材料に記録された干渉縞によって、高い回折効率で回折されるようになる。
【０００４】
同一の体積型ホログラムを量産することに適した製造方法として、ホログラム原版からの再生光を物体光として用いる方法が知られている（例えば、特許文献１）。この方法では、ホログラム記録材料およびホログラム原版を含む積層体に対し、ホログラム原版のブラッグ条件を満たすようにして、一つの方向のみから光を照射する。そして、一つの方向からの光と、ホログラム記録原版からの回折光と、の干渉によって生じる干渉縞をホログラム記録材料に記録するようになっている。
【０００５】
また、この方法の改良として、ホログラム原版を、ホログラム記録材料に対して平行に保持しながら、当該ホログラム記録材料から離間して配置する方法も知られている。ホログラム記録材料とホログラム原版とを積層する場合、通常、ホログラム記録材料とホログラム原版との間には、屈折率の急激な変化を緩和するとともに空隙の形成を抑制する目的から、インデックスマッチング液が塗布されている。したがって、ホログラム原版をホログラム記録材料から離間させることによって、インデックスマッチング液およびその取り扱い作業を不要にすることができる。加えて、従来の方法では、ホログラム原版上に、都度、ホログラム記録材料を配置するため、マスターホログラムとしてのホログラム原版を損傷してしまう可能性があった。そして、ホログラム原版をホログラム記録材料から離間させることによれば、ホログラム原版の損傷も防止することができる。
【先行技術文献】
【特許文献】
【０００６】
【特許文献１】特開昭６４−６８７８４号公報
【発明の概要】
【発明が解決しようとする課題】
【０００７】
ホログラム原版をホログラム記録材料から離間させた場合、ホログラム原版をホログラム記録材料に積層する場合と比較して上述した利点があるものの、ホログラム原版とホログラム記録材料とを完全に平行にすることは困難である。このため、ホログラム原版とホログラム記録材料との間を意図した光路で進む光と、ホログラム原版とホログラム記録材料との間を反射して往復する光と、の干渉が生じ、結果として、空間周波数の低い視認され得る明暗縞が出現し得る。このような空間周波数の低い視認され得る明暗縞が記録された場合、もはや期待した用途でホログラムを使用することができない程度にまで、意匠性および識別性が著しく低下し得る。
【０００８】
本発明はこのような点を考慮してなされたものであり、視認され得る程度の不要な明暗縞が記録されることを効果的に防止することができるホログラム製造方法を提供することを目的とする。
【課題を解決するための手段】
【０００９】
本発明による透過型ホログラムの製造方法は、
透過型ホログラム原版を含み互いに対向する第１面および第２面を有した記録原版であって、前記記録原版の前記第１面の側から前記透過型ホログラム原版のブラッグ条件を満たすようにして入射する入射光の一部が、前記透過型ホログラム原版で回折された１次光として、前記記録原版の前記第２面への法線方向に対して反時計回りを正として第１角度をなす方向に前記第２面の側から出射するとともに、前記入射光の別の一部が、前記透過型ホログラム原版内を直進する０次光として、前記記録原版の前記第２面への法線方向に対して反時計回りを正として前記第２角度をなす方向に前記第２面の側から出射するようになっている、前記記録原版を、前記第２面がホログラム記録材料の側に位置し、且つ、前記第２面が前記ホログラム記録材料に対して時計回りを正として前記第１角度および前記第２角度を足し合わせた角度だけ傾斜するようにして、配置する工程と、
前記ホログラム記録材料に対して傾斜して配置された前記記録原版へ前記第１面の側から前記透過型ホログラム原版のブラッグ条件を満たすように光を入射させて、前記記録原版から出射する０次光および１次光をホログラム記録材料に照射する工程と、を含む。
【００１０】
本発明による透過型ホログラムの製造方法は、互いに平行な一方の面および他方の面を有する透過型ホログラムであって、前記一方の面への法線方向に対して時計回りを正として前記第１角度をなす方向に進んで前記一方の面の側から入射する再生照明光を、前記法線方向に対して時計回りを正として第２角度をなす方向に向けて前記他方の面の側から出射する再生光として、回折する透過型ホログラムを、製造する製造方法であるようにしてもよい。
【００１１】
本発明による透過型ホログラムの製造方法において、前記ホログラム記録材料へ入射する際における前記０次光の立体構成は、製造された透過型ホログラムへ前記一方の面の側から入射する際における前記再生照明光の立体構成と同一に構成され、且つ、前記ホログラム記録材料へ入射する際における前記１次光の立体構成は、製造された透過型ホログラムを前記他方の面の側から出射する際における前記再生光の立体構成と同一に構成されていてもよい。
【００１２】
本発明による透過型ホログラムの製造方法において、前記記録原版と前記ホログラム記録材料との間には空気のみが介在するようにしてもよい。
【００１３】
本発明による透過型ホログラムの製造方法において、前記記録原版は、前記透過型ホログラム原版に重ねられ前記第１面をなす反射防止層と、前記透過型ホログラム原版に重ねられ前記第２面をなす第２反射防止層と、のいずれか少なくとも一つを、さらに含むようにしてもよい。
【００１４】
本発明による透過型ホログラムの製造方法において、前記記録原版の前記第１面および前記第２面が互いに対して傾斜した平坦面であってもよい。このような本発明による透過型ホログラムの製造方法において、前記記録原版は、前記透過型ホログラム原版のホログラム記録材料に対面する側とは反対の側に重ねて配置され、互いに対して傾斜した一対の平坦な主面を有した透明部材を、さらに含むようにしてもよい。
【００１５】
本発明による反射型ホログラムの製造方法は、
反射型ホログラム原版を含み互いに対向する第１面および第２面を有した記録原版であって、前記記録原版の前記第１面への法線方向に対して反時計回りを正として第１角度をなす方向から前記記録原版へ前記第１面の側から入射する光が、前記反射型ホログラム原版で回折された１次光として、前記記録原版の前記第１面への法線方向に対して反時計回りを正として第２角度をなす方向に前記第１面の側から出射するようになっている、前記記録原版を、前記第１面がホログラム記録材料の側に位置し、且つ、前記第１面が前記ホログラム記録材料に対して時計回りを正として前記第１角度および前記第２角度を足し合わせた角度だけ傾斜するようにして、配置する工程と、
前記ホログラム記録材料を透過した後に、前記反射型ホログラム原版のブラッグ条件を満たすようにして前記記録原版へ前記第１面の側から入射するよう、前記ホログラム記録材料へ一方の面の側から光を照射するとともに、前記反射型ホログラム原版で回折されてなる１次光を前記ホログラム記録材料へ他方の面の側から照射する工程と、を含む。
【００１６】
本発明による反射型ホログラムの製造方法は、互いに平行な一方の面および他方の面を有する反射型ホログラムであって、一方の面への法線方向に対して時計回りを正として前記第２角度をなす方向に進んで前記他方の面の側から入射する再生照明光を、前記法線方向に対して時計回りを正として前記第１角度をなす方向に向けて前記一方の面の側から出射する再生光として、回折する反射型ホログラムを、製造する製造方法であってもよい。
【００１７】
本発明による反射型ホログラムの製造方法において、前記ホログラム記録材料へ前記他方の面の側から照射される前記光の立体構成は、製造された反射型ホログラムへ前記一方の面の側から入射する際における前記再生照明光の立体構成と同一に構成され、且つ、前記ホログラム記録材料へ前記一方の面の側から入射する際における前記１次光の立体構成は、製造された透過型ホログラムを前記一方の面の側から出射する際における前記再生光の立体構成と同一に構成されていてもよい。
【００１８】
本発明による反射型ホログラムの製造方法において、前記記録原版と前記ホログラム記録材料との間には空気のみが介在するようにしてもよい。
【００１９】
本発明による反射型ホログラムの製造方法において、前記記録原版は、前記反射型ホログラム原版に重ねられ前記第１面をなす反射防止層と、前記反射型ホログラム原版に重ねられ前記第２面をなす反射防止層または光吸収層と、のいずれか少なくとも一つを、さらに含むようにしてもよい。
【００２０】
本発明による反射型ホログラムの製造方法において、前記記録原版の前記第１面および前記第２面は互いに対して傾斜した平坦面であってもよい。このような本発明による反射型ホログラムの製造方法において、前記記録原版は、前記反射型ホログラム原版のホログラム記録材料に対面する側とは反対の側に重ねて配置され、互いに対して傾斜した一対の平坦な主面を有した透明部材を、さらに含むようにしてもよい。
【発明の効果】
【００２１】
本発明によれば、視認され得る程度の不要な明暗縞が記録されることを効果的に防止することできる。
【図面の簡単な説明】
【００２２】
【図１】図１は、第１の実施の形態による製造方法によって製造され得る透過型ホログラムの一例およびその光学作用を説明するための図である。
【図２】図２は、第１の実施の形態による透過型ホログラムの製造方法を説明するための図である。
【図３】図３は、図２の製造方法で用いられる透過型ホログラム原版の光学作用を説明するための図である。
【図４】図４は、図３の透過型ホログラム原版の作製方法を説明するための図である。
【図５】図５は、図２の製造方法でのホログラム記録材料の露光方法を説明するための図である。
【図６】図６は、図２に対応する図であって、露光中に生じた反射光の光路を説明するための図である。
【図７】図７は、図６に対応する図であって、透過型ホログラムの製造方法の一変形例を説明するための図である。
【図８】図８は、図２に対応する図であって、透過型ホログラムの製造方法の他の変形例を説明するための図である。
【図９】図９は、第２の実施の形態による製造方法によって製造され得る反射型ホログラムの一例およびその光学作用を説明するための図である。
【図１０】図１０は、第２の実施の形態による反射型ホログラムの製造方法を説明するための図である。
【図１１】図１１は、図１０の製造方法で用いられる反射型ホログラム原版の光学作用を説明するための図である。
【図１２】図１２は、図１１の反射型ホログラム原版の作製方法を説明するための図である。
【図１３】図１３は、図１０の製造方法でのホログラム記録材料の露光方法を説明するための図である。
【図１４】図１４は、図６に対応する図であって、記録原版とホログラム記録材料を平行に配置した状態での露光中に生じた反射光の光路を説明するための図である。
【発明を実施するための形態】
【００２３】
以下、図面を参照して本発明の実施の形態について説明する。なお、本件明細書に添付する図面においては、図示と理解のしやすさの便宜上、適宜縮尺および縦横の寸法比等を、実物のそれらから変更し誇張してある。
【００２４】
また、本明細書において用いる、形状や幾何学的条件並びにそれらの程度を特定する用語、例えば、「平行」、「対称」等の用語や角度の値等については、厳密な意味に縛られることなく、ホログラムを量産する際に不可避的に生じる誤差等を含めて解釈することとする。
【００２５】
図１〜図１３は本発明による実施の形態を説明するための図である。このうち図１〜図８は本発明による第１の実施の形態およびその変形例を説明するための図であり、図８〜図１３は本発明による第２の実施の形態を説明するための図である。第１の実施の形態では透過型体積ホログラムを例に挙げており、第２の実施の形態では反射型体積ホログラムを例に挙げている。
【００２６】
透過型および反射型の体積ホログラム１０，５０は、干渉縞１２，５２が記録されており、この干渉縞１２，５２の間隔、入射光の波長および入射角度に関するブラッグの反射条件（ブラッグ条件）が満たされた場合、当該入射光を高い回折効率で回折（反射）するようになる。後において詳述するように、複数の方向からの光が互いに干渉してなる干渉縞１２ａ，５２ａを、一種の回折格子と同様に機能し得る縞状パターン１２，５２として、感光性を有するホログラム記録材料（感光材料）２０．７０に記録することによって、作製されている。そして、透過型ホログラム１０および反射型ホログラム５０は、このような入射光に対する波長選択性および角度選択性によって、当該ホログラム１０，５０が貼付された物品の意匠性を向上させることや、物品の真正性を標示することが可能であり、物品、とりわけ、包装材料、カード、証明書、有価証券、商品券等に貼付されて使用され得る。
【００２７】
＜第１の実施の形態＞
このうちまず、図１〜図８を参照して、第１の実施の形態およびその変形例について説明する。このうち図１には、以下に説明する製造方法により作製され得る透過型体積ホログラムの一例が示されている。以下の説明において、製造対象となる透過型体積ホログラム１０（単に、透過型ホログラム、とも呼ぶ）は、特定方向からの入射光を回折して、入射方向とは異なる方向に出射させる光学素子として形成されている。
【００２８】
図１に示すように、透過型ホログラム１０は、互いに平行な一方の面１０ａおよび他方の面１０ｂを有している。透過型ホログラム１０は、その一方の面１０ａへの法線方向ｎｄ１を通過するある面（図１に示された断面）において、当該法線方向ｎｄ１に対して時計回りを正として第１角度θ１をなす方向に進んで前記一方の面１０ａの側から入射する第１波長の再生照明光Ｌａ１を、一方の面１０ａへの法線方向ｎｄ１に対して時計回りを正として第２角度θ２をなす方向に向けて他方の面１０ｂの側から出射する再生光Ｌｂ１として、回折する。なお、本実施の形態において、透過型ホログラム１０の第１面１０ａおよび第２面１０ｂは互いに平行な平坦面として構成されている。したがって、第１面１０ａへの法線方向ｎｄ１と第２面１０ｂへの法線方向ｎｄ１は一致し（平行となり）、以下においては、これら二つの法線方向を単に、透過型ホログラム１０の法線方向ｎｄ１、とも呼ぶ。
【００２９】
すなわち、法線方向ｎｄ１に対して時計回りを正として第１角度θ１をなす方向に沿って一方の面１０ａから透過型ホログラム１０へ入射する光Ｌａ１は、透過型ホログラム１０の縞状パターン（干渉縞）１２のブラッグ条件を満たすようになる。ここで、ブラッグの反射条件が満たされるとは、次の式（１）が満たされることに相当する。  
２×ｄ×ｓｉｎθ＝λ  ・・・  式（１）
式（１）中のｄは、光の進行方向と、当該光が入射する領域において縞状パターン１２を構成する各筋状模様（各面状模様）への法線方向と、の両方に平行な断面（つまり、図１に示す断面）での、縞状パターン１２を構成する各筋（各面）の間隔（濃淡の筋のピッチ）である。また、式（１）中のθは、前記断面において、光の入射方向（または光の干渉縞での回折方向）が干渉縞をなす各筋が延びる方向に対してなす角度である。さらに、式（１）中のλは、干渉縞への入射光の波長（本例では第１波長）である。
【００３０】
このブラッグ反射条件を示す式（１）は、入射光の波長λに対して適宜入射光の入射角度θが調節されることによって、あるいは、入射光の入射角度θに対して適宜入射光の波長λが設定されることによって、満たされるようになる。すなわち、ある体積型ホログラムの縞状パターン（干渉縞）によって高効率の回折効率で回折されるようになるのは、所定の特定波長の光が所定の特定入射角度でホログラムへ入射する場合だけではない。
【００３１】
なお、第１の実施の形態においては、図１に示すように、理解のしやすさの便宜を図り、透過型ホログラム１０が、法線方向ｎｄ１に対して時計回りを正として第１角度θ１をなす方向に沿って一方の面１０ａから入射する平行光束としての再生照明光Ｌａ１を、法線方向ｎｄ１に対して時計回りを正として第２角度θ２をなす方向に沿って他方の面１０ｂから出射する平行光束からなる再生光Ｌｂ１として、回折する例を示している。ただし、これに限られず、再生照明光Ｌａ１が、法線方向ｎｄ１に対して時計回りを正として第１角度θ１をなす方向を一つの光路として含む発散光束、収束光束または散乱光束であってもよい。同様に、再生光Ｌｂ１が、法線方向ｎｄ１に対して時計回りを正として第２角度θ２をなす方向を一つの光路として含む発散光束、収束光束または散乱光束であってもよい。
【００３２】
次に、主に図２〜図５を参照しながら、以上のような透過型ホログラム１０を製造する方法の一例について説明する。
【００３３】
以下に説明するホログラムの製造方法は、図２に示すように、透過型ホログラム原版４０を含み互いに対向する第１面３０ａおよび第２面３０ｂを有した記録原版３０をホログラム記録材料２０に対して傾斜して配置する工程と、透過型ホログラム原版４０のブラッグ条件を満たすように光を入射させて記録原版３０から出射する０次光Ｌｒ１および１次光Ｌｏ１をホログラム記録材料２０に照射し、０次光Ｌｒ１と１次光Ｌｏ１とが干渉してなる光の明暗縞（干渉縞）をホログラム記録材料２０に記録する工程と、を含んでいる。すなわち、以下に説明するホログラムの製造方法では、体積型ホログラム１０は、記録原版３０を用いてホログラム記録材料２０に干渉縞を記録する、いわゆるＨ１Ｈ２法により作製される。
【００３４】
まず、透過型ホログラム１０の作製に用いられる記録原版３０について説明し、その後、記録原版３０をホログラム記録材料２０に対して配置する工程と、ホログラム記録材料２０に干渉縞１２ａを記録して縞状パターン１２に形成する工程と、を説明する。
【００３５】
図２に示すように、記録原版３０は、透過型ホログラム原版４０を含み、互いに平行に対向する第１面３０ａおよび第２面３０ｂを有している。また、本実施の形態においては、記録原版３０は、透過型ホログラム原版４０の第１面４０ａの側に配置されて記録原版３０の第１面３０ａをなす第１反射防止層３６と、透過型ホログラム原版４０の第２面４０ｂの側に配置されて記録原版３０の第２面３０ｂをなす第２反射防止層３７と、をさらに有している。反射防止層３６，３７は反射を抑制する特性を有している。また、各反射防止層３６，３７と透過型ホログラム原版４０との間には、急激な屈折率差が生じることや空隙が形成されることを防止するため、インデックスマッチング液からなるインデックスマッチング層が設けられてもよいし、その他、光学接着剤や粘着層付きフィルム等が設けられてもよい。
【００３６】
なお、第１反射防止層３６は一定の厚みを有しており、透過型ホログラム原版４０の第１面４０ａは記録原版３０の第１面３０ａと平行になっている。また、第２反射防止層３７も一定の厚みを有しており、透過型ホログラム原版４０の第２面４０ａは記録原版３０の第２面３０ａと平行になっている。
【００３７】
図２に示すように、記録原版３０は、記録原版３０の第１面３０ａの側から透過型ホログラム原版４０のブラッグ条件を満たすようにして入射する第１波長の入射光Ｌｉの一部が、過型ホログラム原版４０で回折された１次光Ｌｏ１として、記録原版３０の第２面３０ｂへの法線方向ｎｄ２を通過する基準断面（図２に示す断面）において当該法線方向ｎｄ２に対して反時計回りを正として第１角度θ１をなす方向に第２面３０ｂの側から出射するとともに、入射光Ｌｉの別の一部が、透過型ホログラム原版４０内を直進する０次光Ｌｒ１として、前記基準断面（図２に示す断面）において法線方向ｎｄ２に対して反時計回りを正として第２角度θ２をなす方向に第２面３０ｂの側から出射するようになっている。なお、本実施の形態において、記録原版３０の第１面３０ａおよび第２面３０ｂは互いに平行な平坦面として構成されている。したがって、第１面３０ａへの法線方向ｎｄ２と第２面３０ｂへの法線方向ｎｄ２は一致し（平行となり）、以下においては、これら二つの法線方向を単に、記録原版３０の法線方向ｎｄ２、とも呼ぶ。
【００３８】
ここで第１角度θ１および第２角度θ２は、±９０°の範囲内の任意の角度であって、さらには、大きさの絶対値が互いに異なっている角度である。また、０次光Ｌｒ１の光量と１次光Ｌｏ１の光量とは、透過型ホログラム原版４０の回折効率に主として依存して決定される。例えば、透過型ホログラム原版４０の回折効率が５０％であれば、理論的には、０次光Ｌｒ１の光量と１次光Ｌｏ１の光量とが等しくなり得る。
【００３９】
なお、実際には、記録原版３０の第１面３０ａおよび第２面３０ｂにおいて、並びに、記録原版３０内の層間において、屈折が生じる。さらには、ホログラム記録材料２０の表面においても、屈折が生じる。しかしながら、本明細書における説明および添付図においては、後述する第２の実施の形態も含め、理解しやすさの便宜からこれらの入射面、反射面および層間での屈折を無視して、光が各界面を直進するようにしている。したがって、図２において、０次光Ｌｒ１の進行方向は一次光Ｌｒ１の進行方向と一致している。
【００４０】
図３には、記録原版３０に含まれた透過型の体積型ホログラムからなる透過型ホログラム原版４０の回折作用が図示されている。図３に示すように、互いに平行な第１面４０ａおよび第２面４０ｂを有する透過型ホログラム原版４０は、その法線方向ｎｄ２に対して反時計回りを正として第２角度θ２をなす方向に沿って第１面４０ａから入射する第１波長の再生照明光Ｌ３１を回折して、その法線方向ｎｄ２に対して反時計回りを正として第１角度θ１をなす方向に沿って第２面４０ｂの側から、再生光Ｌ３２として、出射させるようになる。すなわち、透過型ホログラム原版４０は、その法線方向ｎｄ２に対して反時計回りを正として第２角度θ２をなす方向に沿って第１面４０ａから入射する第１波長の光によってブラッグ反射条件が満たされるようになる縞状パターン（干渉縞）４２を有している。
【００４１】
図３に示された回折機能を発揮し得る透過型ホログラム原版４０は、一例として、図４に示すようにして、作製することができる。すなわち、第１波長のコヒーレントな光、典型的にはレーザ光源から発振された第１波長のレーザ光を、参照光Ｌ４１と物体光Ｌ４２として、感光性を有したホログラム記録材料４５に第１面４５ａの側から入射させる。このうち参照光Ｌ４１は、ホログラム記録材料４５への法線方向ｎｄ２ａに対して反時計回りを正として第２角度θ２をなす方向に進む。一方、物体光Ｌ４２は、ホログラム記録材料４５への法線方向ｎｄ２ａに対して反時計回りを正として第１角度θ１をなす方向に進む。
【００４２】
この結果、ホログラム記録材料４５が参照光Ｌ４１および物体光Ｌ４２によって露光され、参照光Ｌ４１および物体光Ｌ４２が干渉してなる明暗の縞４２ａがホログラム記録材料４５内で生じる。ホログラム記録材料４５は、明暗縞４２ａに対応したパターンで反応し、明暗縞４２ａが、縞状パターン４２として、ホログラム記録材料４５に記録される。干渉縞４２が記録されたホログラム記録材料４５に適当な後処理を施すことによって、上述した透過型ホログラム原版４０が得られる。
【００４３】
この際、参照光Ｌ４１と物体光Ｌ４２とが干渉してなる明暗の縞４２ａは、参照光Ｌ４１の進行方向と物体光Ｌ４２の進行方向とのによってなされる角の二等分線と平行な方向に延びるようになる。これにともなって、ホログラム記録材料４５に記録される縞状パターン４２も、参照光Ｌ４１の進行方向と物体光Ｌ４２の進行方向とのによってなされる角の二等分線と平行な方向に延びるようになる。
【００４４】
ホログラム記録材料４５の法線方向ｎｄ２ａは、透過型ホログラム原版４０の法線方向ｎｄ２に一致するようになる。また、ホログラム記録材料４５の第１面４５ａおよび第２面４５ｂが、それぞれ、透過型ホログラム原版４０の第１面４０ａおよび第２面４０ｂに一致するようになる。
【００４５】
また、透過型ホログラム原版４０を作製する際に用いられた参照光Ｌ４１（図４参照）は、透過型ホログラム原版４０を再生する際の再生照明光Ｌ３１（図３参照）と、同一の立体構成を有している。より厳密には、透過型ホログラム原版４０を作製する際に用いられた参照光Ｌ４１の、ホログラム記録材料４５への法線方向ｎｄ２ａに対して反時計回りを正として第２角度θ２をなす方向を基準とした、立体構成が、透過型ホログラム原版４０を再生する際の再生照明光Ｌ３１の、透過型ホログラム原版４０への法線方向ｎｄ２に対して反時計回りを正として第２角度θ２をなす方向を基準とした、立体構成と同一となっている。
【００４６】
同様に、透過型ホログラム原版４０を作製する際に用いられた物体光Ｌ４２（図４参照）は、透過型ホログラム原版４０によって再生された再生光Ｌ３２（図３参照）と、同一の立体構成を有している。より厳密には、透過型ホログラム原版４０を作製する際に用いられた物体光Ｌ４２の、ホログラム記録材料４５への法線方向ｎｄ２ａに対して反時計回りを正として第１角度θ１をなす方向を基準とした、立体構成が、透過型ホログラム原版４０によって再生された再生光Ｌ３２の、透過型ホログラム原版４０への法線方向ｎｄ２に対して反時計回りを正として第１角度θ１をなす方向を基準とした、立体構成と同一となっている。
【００４７】
なお、ここで立体構成とは、各光の光束として構成を指すものである。例えば、各光は、平行光束、散乱光束、発散光束、収束光束等として構成される。各光が平行光束であれば、光束が通過する領域や、当該領域内での光量等が、立体構成を特定する要素となる。また、各光が散乱光束であれば、散乱光束が通過する領域や、当該領域内での光量、散乱の程度等が、立体構成を特定する要素となる。さらに、各光が発散光束や収束光束である場合、光束が通過する領域や、当該領域内での光量、発散または収束の程度等が、立体構成を特定する要素となる。
【００４８】
次に、記録原版３０をホログラム記録材料２０に対して配置する工程について説明する。
【００４９】
ここでは、まず、透過型ホログラム１０を作製するためのホログラム記録材料２０を準備し、このホログラム記録材料２０に対して記録原版３０を位置決めする。透過型ホログラム１０を作製するためのホログラム記録材料２０としては、例えば、フォトポリマー、銀塩乳剤、重クロム酸ゼラチン、フォトレジスト等を用いることができる。また、ホログラム記録材料２０の形体としては、フィルム単体であってもよいし、ガラス上に保持された材料であってもよいし、あるいは、一対のガラス間に注入された材料であってもよい。
なお、上述した透過型ホログラム原版４０を作製するためのホログラム記録材料４５についても、ここで例示した材料を用いることができる。
【００５０】
図２に示すように、準備されたホログラム記録材料２０に記録原版３０の第２面３０ｂが対面し、且つ、記録原版３０の第２面３０ｂへの法線方向ｎｄ２を通過する前記基準断面（図２に示す断面）における第２面３０ｂがホログラム記録材料２０の表面（図２に示す例では、第１面２０ａ）に対して時計回りを正として、第１角度θ１および第２角度θ２を足し合わせた角度（θ１＋θ２）だけ傾斜するようにして、記録原版３０をホログラム記録材料２０に対して位置決めする。図２に示す例において、第１角度θ１は３０°であり、第２角度θ２は１０°となっており、第１角度θ１および第２角度θ２を足し合わせた角度は４０°となっている。このような位置決め状態で、次に説明するホログラム記録材料２０に干渉縞１２ａを記録する工程が実施される。
【００５１】
次に、ホログラム記録材料２０に干渉縞１２ａを記録して縞状パターン１２を形成する工程について説明する。
【００５２】
この工程では、第１波長のコヒーレントな光Ｌｉ、典型的にはレーザ光源で発生されたレーザ光Ｌｉを記録原版３０へその第１面３０ａの側から入射させる。この際、第１波長の入射光Ｌｉは、記録原版３０の透過型ホログラム原版４０のブラッグ回折条件を満たすようになる方向から、記録原版３０へ入射する。すなわち、第１波長の入射光Ｌｉの記録原版３０への入射方向は、記録原版３０の第２面３０ｂへの法線方向ｎｄ２を通過する前記基準断面（図２に示す断面）において、記録原版３０への法線方向ｎｄに対して反時計回りを正として第２角度θ２だけ傾斜した方向となっている。
【００５３】
なお、記録原版３０への入射光Ｌｉとしては、ヘリウム−ネオンレーザー、アルゴンイオンレーザー、クリプトンイオンレーザー、ネオジウムヤグレーザー等のレーザ光源から発振されたレーザ光を用いることができる。なお、上述した透過型ホログラム原版４０を作製するために用いる参照光Ｌ４１および物体光Ｌ４２についても、ここで例示したレーザ光を用いることができる。
【００５４】
このような記録原版３０への入射光Ｌｉの一部は、再生照明光として機能し、透過型ホログラム原版４０の縞状パターン４２によって回折され、進行方向を偏向される。そして、干渉縞４２で回折されてなる１次光（再生光）は、記録原版３０の法線方向ｎｄ２に対して反時計回りを正として第１角度θ１だけ傾斜した方向に向け、記録原版３０を第２面３０ｂの側から出射する。このような記録原版３０からの１次光Ｌｏ１は、物体光として、ホログラム記録材料２０へその第１面２０ａの側から入射する。
【００５５】
ただし、入射光Ｌｉの他の一部は、透過型ホログラム原版４０の回折効率が１００％ではないことに起因して、透過型ホログラム原版４０の干渉縞４２で回折されることなく、透過型ホログラム原版４０内を、０次光として、直進する。そして、入射光Ｌｉの一部からなる０次光は、記録原版３０の法線方向ｎｄ２に対して反時計回りを正として第２角度θ２だけ傾斜した方向に向け、記録原版３０の第２面３０ｂから出射する。このような記録原版からの０次光Ｌｒ１は、参照光として、ホログラム記録材料２０へその第１面２０ａの側から入射する。
【００５６】
上述したように、前記基準断面（図２に示す断面）において、記録原版３０の第２面３０ｂがホログラム記録材料２０の第１面２０ａに対して時計回りを正として、第１角度θ１および第２角度θ２を足し合わせた角度（θ１＋θ２）だけ傾斜している。したがって、図２に示すように、０次光Ｌｒ１は、ホログラム記録材料２０への法線方向ｎｄ１ａに対して時計回りを正として第１角度θ１だけ傾斜した方向に進み、ホログラム記録材料２０へ第１面２０ａの側から入射する。同様に、１次光Ｌｏ１は、ホログラム記録材料２０への法線方向ｎｄ１ａに対して時計回りを正として第２角度θ２だけ傾斜した方向に進み、ホログラム記録材料２０へ第１面２０ａの側から入射する。
【００５７】
図５に簡略化して示すように、ホログラム記録材料２０へ０次光Ｌｒ１および１次光Ｌｏ１が照射がされると、ホログラム記録材料２０内において、参照光としての０次光Ｌｒ１と物体光としての１次光Ｌｏ１が干渉し、明暗の縞からなる光の干渉縞１２ａが形成される。感光性を有したホログラム記録材料２０は、この明暗の縞１２ａに対応して反応する。この結果、ホログラム記録材料２０内に、この明暗の縞１２ａに対応したパターンの縞状パターン（干渉縞）１２が形成され、回折機能が付与される。一例として、ホログラム記録材料２０がフォトポリマーからなる場合には、屈折率変調パターンからなる縞状パターン１２として、干渉縞１２ａが記録される。とりわけ、本実施の形態による製造方法によれば、ホログラム記録材料２０に記録される縞状パターン１２は、理論的には、記録原版３０の透過型ホログラム原版４０の縞状パターン４２と法線方向を対称軸線とした対称的な構成を有し、記録原版３０の透過型ホログラム原版４０の縞状パターン４２と同一の空間周波数を有するようになる。
【００５８】
なお、参照光としての０次光Ｌｒ１と物体光としての１次光Ｌｏ１とが干渉してなる明暗の縞１２ａは、０次光Ｌｒ１の進行方向と１次光Ｌｏ１との進行方向によってなされる角の二等分線と平行な方向に延びるようになる。これにともなって、ホログラム記録材料２０に記録される縞状パターン１２も、０次光Ｌｒ１の進行方向と１次光Ｌｏ１の進行方向とのによってなされる角の二等分線と平行な方向に延びるようになる。
【００５９】
図２に示すように、ホログラム記録材料２０の記録原版３０に対面していない側の第２面２０ｂ上には、遮光層２９が設けられている。これにより、ホログラム記録材料２０内へ入射した０次光Ｌｒ１および１次光Ｌｏ１が、ホログラム記録材料２０の第２面２０ｂで反射され、不要な干渉縞がホログラム記録材料２０に記録されてしまうことを防止することができる。
【００６０】
縞状パターン（干渉縞）１２を形成されたホログラム記録材料２０は、その後、後処理工程を施され、ホログラム記録材料２０から透過型ホログラム１０が得られるようになる。なお、後処理の内容は、ホログラム記録材料２０をなす材料によって異なるが、一例として、紫外線照射および加熱処理が、一連の後処理としてホログラム記録材料２０に実施され得る。
【００６１】
ホログラム記録材料２０の法線方向ｎｄ１ａは、作製された透過型ホログラム１０の法線方向ｎｄ１に一致するようになる。また、ホログラム記録材料２０の第１面２０ａおよび第２面２０ｂが、それぞれ、透過型ホログラム１０の第１面１０ａおよび第２面１０ｂに一致するようになる。
【００６２】
なお、透過型ホログラム１０を作製する際に用いられた０次光Ｌｒ１（図２および図５参照）の立体構成は、製造された透過型ホログラム１０を再生するための再生照明光Ｌａ１（図１参照）の立体構成と、同一となっている。より厳密には、透過型ホログラム１０を作製する際に用いられた０次光Ｌｒ１の、ホログラム記録材料２０への法線方向ｎｄ１ａに対して時計回りを正として第１角度θ１をなす方向を基準とした、立体構成が、透過型ホログラム１０を再生するための再生照明光Ｌａ１の、透過型ホログラム１０への法線方向ｎｄ１に対して時計回りを正として第１角度θ１をなす方向を基準とした、立体構成と同一となっている。
【００６３】
同様に、透過型ホログラム１０を作製する際に用いられた１次光Ｌｏ１（図２および図５参照）の立体構成は、製造された透過型ホログラム１０によって再生された再生光Ｌｂ１（図９参照）の立体構成と、同一となっている。より厳密には、透過型ホログラム１０を作製する際に用いられた１次光Ｌｏ１の、ホログラム記録材料２０への法線方向ｎｄ１ａに対して時計回りを正として第２角度θ２をなす方向を基準とした、立体構成が、透過型ホログラム１０によって再生される再生光Ｌｂ１の、透過型ホログラム１０への法線方向ｎｄ１に対して時計回りを正として第２角度θ２をなす方向を基準とした、立体構成と同一となっている。
【００６４】
以上のような第１の実施の形態による製造方法によれば、記録原版３０とホログラム記録材料２０との間には空気のみが介在している。すなわち、ホログラム記録材料２０と対向して配置される記録原版３０の第２面３０ｂは、ホログラム記録材料２０から離間して配置されている。
【００６５】
その一方で、記録原版の第２面上にホログラム記録材料が密着して配置される方法では、通常、記録原版上にインデックスマッチング液を塗布する必要が生じ、さらには、インデックスマッチング液の塗布にともなった清掃作業等の取り扱い作業も必要となっていた。このようなインデックスマッチング液の取り扱いは、記録原版上に次のホログラム記録材料を配置する度に行う必要があり、極めて煩雑な作業となっていた。この点において、本実施の形態による製造方法によれば、記録原版上にインデックスマッチング液を塗布する必要がなく、このような不具合の発生を防止することができる。
【００６６】
また、記録原版の第２面上にホログラム記録材料を都度配置する場合、記録原版を損傷してしまう可能性がある。ホログラム作製用の記録原版には、わずかな傷等も許されないため、損傷してした記録原版は、もはやホログラムの作製に用いることができず、廃棄するしかなかった。この点においても、本実施の形態による製造方法によれば、記録原版上に他の部材を密着させる必要がないことから、このような不具合の発生を防止することができる。
【００６７】
なお、記録原版１３０がホログラム記録材料１２０から離間した状態で、ホログラム記録材料１２０に干渉縞を記録する方法として、図１４に示すように、記録原版１３０をホログラム記録材料１２０から平行に離間させて配置する方法も考えられる。このような方法によれば、上述した実施の形態による製造方法と同様に、記録原版１３０をホログラム記録材料１２０に密着させることに起因した不具合の発生を防止することができる。しかしながら、記録原版１３０をホログラム記録材料１２０に対して平行に離間させる方法では、製造されたホログラムによって、視認され得る程度に空間周波数が低い不要な明暗縞が再生されてしまう、といった不具合が生じていた。
【００６８】
記録原版１３０とホログラム記録材料１２０とが空気層からなる空間をあけて配置されている場合、いくら反射防止ガラス等からなる反射防止層によって空間との界面が形成されていたとしても、現状、ホログラム記録材料１２０または記録原版１３０と空気層との間での反射を完全に防止することができない。したがって、図１４に示すように、ホログラム記録材料１２０と記録原版１３０との間を繰り返し反射する本来意図していない光（以下においては反射光Ｌｆとも呼ぶ）が発生してしまう。そして、この反射光Ｌｆは、記録原版１３０からホログラム記録材料１２０へ入射する参照光や物体光（以下においては、直接光Ｌｄとも呼ぶ）と、干渉し合うことになる。
【００６９】
一方、可視光線の波長オーダーのレベルで評価した平行度において、ホログラム記録材料１２０を、都度、記録原版１３０に対し平行に保持することは実質的に困難である。また、通常、ホログラム記録材料１２０および記録原版１３０の対向する各表面１２０ａ，１３０ｂは、平坦面として構成されている。ホログラム記録材料１２０と記録原版１３０との間隔は、ある方向に沿って連続的に変化、例えば、しだいに広がっていく（長くなっていく）。このため、反射光Ｌｆと直接光Ｌｄとの光路差が当該光の波長の整数倍となって、明るく観察される部位は、ホログラム記録材料１２０と記録原版１３０との間隔が変化していく方向に、間隔をあけて並ぶようになる。この結果、ホログラム記録材料と記録原版との間隔が変化していく方向に、明暗の縞が並んで形成されるようになる。そして、ホログラム記録材料１２０と記録原版１３０との傾斜角度が僅かであるほど、明暗縞のピッチは長くなる、言い換えると、明暗縞の空間周波数が小さくなる。ホログラム記録材料１２０と記録原版１３０とによってなされる角度が小さい場合には、目視で認識可能な明暗縞が現れるようになる。
【００７０】
このようにして現れた不要な明暗縞もホログラム記録材料１２０に記録される。そして、作製されたホログラムの使用時にも、この明暗縞が目視で認識可能に再生されるようになる。そして、このような不要な明暗縞が出現すると、ホログラムの意匠性および識別性を著しく損なうことになる。
【００７１】
一方、上述してきた本実施の形態による方法で作製された透過型ホログラム１０によれば、図２に示すように、記録原版３０が、第１角度θ１と第２角度θ２とを足し合わせた角度分だけ、ホログラム記録材料２０に対して傾斜している。このような方法によれば、図６に示すように、ホログラム記録材料２０と記録原版３０との間隔が変化していく方向（即ち図６の左右方向）に僅かにずれた二つの位置の間で、ホログラム記録材料２０と記録原版３０との間隔が、可視光線の波長オーダーとは全く異なる大きなオーダーで変化することになる。すなわち、明暗縞が出現していたとしても、目視では、当該明暗縞の明部と暗部とを分解して識別すること不可能となる。
【００７２】
以上のようなことから、第１の実施の形態によれば、視認され得る程度の不要な明暗縞がホログラム記録材料２０に記録されることを安定して防止することができる。さらには、記録原版３０を用いたホログラムの量産において、ホログラム記録材料２０上に、都度、反射防止層を形成するといった極めて煩雑な作業を省くことも可能にすることができる。この結果、優れた意匠性と高い識別性を有した透過型ホログラム１０を安定して容易に製造することができる。
【００７３】
なお、上述した第１の実施の形態に対して様々な変更を加えることが可能である。以下、図面を参照しながら、変形の一例について説明する。以下の説明で用いる図面では、上述した実施の形態における対応する部分に対して用いた符号と同一の符号を用いており、重複する説明を省略する。
【００７４】
例えば、以上の第１の実施の形態において、記録原版３０の第１面３０ａおよび第２面３０ｂが互いに対して平行な平坦面からなる例を示したが、これに限られない。例えば、図７に示すように、記録原版３０の第１面３０ａおよび第２面３０ｂが互いに対して傾斜した平坦面からなるようにしてもよい。
【００７５】
図７に示すように、ホログラム記録材料で反射された光は、その後、記録原版３０の第２面３０ｂで反射する場合だけでなく、いったん記録原版３０内に入射し、その後、空気層との界面を形成する記録原版３０の第１面３０ａで反射することもある。そして、第２面３０ｂで反射した第１反射光Ｌｆ１は、図１４および図６を参照しながら説明したように直接光Ｌｄと干渉して空間周波数の低い明暗縞を形成するだけでなく、第１面３０ｂで反射した第２反射光Ｌｆ２とも干渉し合う。
【００７６】
そして、記録原版３０の第１面３０ａおよび第２面３０ｂとの間で、可視光線の波長オーダーでの平行度が、実現されていないこともあり得る。とりわけ、上述した実施の形態で説明したように、記録原版３０が、透過型ホログラム原版４０と反射防止層３６，３７との積層体からなっている場合には、第１面３０ａおよび第２面３０ｂとの間で、可視光線の波長オーダーでの平行度を実現することは実質的に困難となる。
【００７７】
この場合、図７に示すように、記録原版３０の第１面３０ａおよび第２面３０ｂを互いに対して積極的に傾斜させておくことにより、第２面３０ａで反射した第１反射光Ｌｆ１と第１面３０ｂで反射した第２反射光Ｌｆ２との干渉によって生じる明暗縞の空間周波数を、視認不可能な程度にまで、小さくすることができる。これにより、視認され得る程度の不要な明暗縞がホログラム記録材料２０に記録されることを、さらに安定して、防止することができる。
【００７８】
なお、図７に示す変形例において、記録原版３０は、透過型ホログラム原版４０と、第１および第２反射防止層３６，３７と、透過型ホログラム原版４０と第１反射防止層３６との間に設けられた透明部材３８と、を有している。透明部材３８は、互いに対して傾斜した一対の平坦な主面３８ａ，３８ｂを有しており、透明部材３８の断面形状はくさび形となっている。ただし、この例に限られず、透明部材３８が透過型ホログラム原版４０と第２反射防止層３７との間に配置される等、種々の方法で、記録原版３０の第１面３０ａおよび第２面３０ｂを互いに対して傾斜させるようにしてもよい。
【００７９】
ところで、上述してきたように記録原版３０のホログラム記録材料２０に対面する側の第２面３０ｂは、ホログラム記録材料２０の表面に対して所定の角度をなすように、位置決めされている。したがって、記録原版３０の第１面３０ａおよび第２面３０ｂを互いに対して傾斜させる場合には、ホログラム記録材料２０に対面する第２面３０ｂのホログラム記録材料２０に対する角度を維持しながら、第２面３０ｂに対して第１面３０ａを傾斜させるようにする。
【００８０】
また、上述した第１の実施の形態において、記録原版３０の透過型ホログラム原版４０で回折されてなる１次光Ｌｏ１の出射方向が、記録原版３０への法線方向ｎｄ２に対して反時計回りを正としてなす角度である第１角度θ１と、記録原版３０の透過型ホログラム原版４０で回折されることなく透過型ホログラム原版４０を透過した０次光Ｌｒ１の出射方向が記録原版３０への法線方向ｎｄ２に対して反時計回りを正としてなす角度である第２角度θ２とが、同一符号（例えば、第１角度θ１が３０°で、第２角度θ２が１０°であり、両角度θ１，θ２とも正の値）となっている例を示したが、これに限られない。例えば、図８に示すように、第１角度θ１が−１０°で、第２角度θ２が３０°となるようにしてもよい。
【００８１】
図８に示す例においては、記録原版３０の第２面３０ｂがホログラム記録材料２０に対面し、且つ、記録原版３０の第２面３０ｂがホログラム記録材料の表面に対して時計回りを正として第１角度θ１（−１０°）および第２角度θ２（３０°）を足し合わせた角度である２０°だけ傾斜するようにして、記録原版２０とホログラム記録材料２０とを配置した状態で、上述したホログラム記録材料２０の露光を行うことにより、上述した実施の形態と同様の作用効果を享受することができる。また、製造された透過型ホログラム１０は、その一方の面１０ａへの法線方向ｎｄ１を通過するある面（図１に示された断面）において、当該法線方向ｎｄ１に対して時計回りを正として第１角度θ１をなす方向に進んで前記一方の面１０ａの側から入射する第１波長の再生照明光Ｌａ１を、一方の面１０ａへの法線方向ｎｄ１に対して時計回りを正として第２角度θ２をなす方向に向けて他方の面１０ｂの側から出射する再生光Ｌｏ１として、回折するようになる。
【００８２】
さらに、上述した第１の実施の形態において、透過型ホログラム１０を作製する際に用いられる０次光Ｌｒ１および１次光Ｌｏ１の波長を、製造された透過型ホログラム１０の使用時に当該透過型ホログラム１０で回折すべき再生照明光Ｌａ１および再生光Ｌｂ１と同様に、第１波長とした例を示したが、これに限られない。記録原版３０の透過型ホログラム原版４０は、第１波長以外の波長を有する光であっても、そのブラッグ回折条件を満たす入射角度で入射する光を、高い回折効率で回折するようになる。そして、ホログラム記録材料２０と記録原版３０とを上述した条件で配置した状態で、記録原版３０の透過型ホログラム原版４０のブラッグ条件を満たすようにして、第１波長以外の波長の光を入射させた場合においても、上述した実施の形態と同様の作用効果を享受しながら、図１に示された透過型ホログラム１０を作製することができる。
【００８３】
なお、以上において第１の実施の形態に対するいくつかの変形例を説明してきたが、当然に、複数の変形例を適宜組み合わせて適用することも可能である。
【００８４】
＜第２の実施の形態＞
次に、図９〜図１３を参照して、第２の実施の形態およびその変形例について説明する。このうち図９には、以下に説明する製造方法により作製され得る反射型体積ホログラムの一例が示されている。すなわち、以下の説明において、製造対象となる反射型体積ホログラム５０（反射型ホログラムとも呼ぶ）は、特定方向からの入射光を回折して、入射方向とは異なる方向に反射して出射させる光学素子として形成されている。
【００８５】
なお、以下に説明する第２の実施の形態においては、製造対象となるホログラムが透過型ホログラムではなく反射型ホログラムである点について、上述の第１の実施の形態とは異なっている。そして、以下の第２の実施の形態の説明において、上述の第１の実施の形態と同様にすることができる部分については、適宜、重複する記載を省略する。
【００８６】
図９に示すように、反射型ホログラム５０は、互いに平行な一方の面５０ａおよび他方の面５０ｂを有している。反射型ホログラム５０は、その一方の面５０ａへの法線方向ｎｄ３を通過するある面（図９に示された断面）において、当該法線方向ｎｄ３に対して時計回りを正として第２角度θ４をなす方向に進んで一方の面５０ａの側から入射する第１波長の再生照明光Ｌａ２を、一方の面５０ａへの法線方向ｎｄ３に対して時計回りを正として第１角度θ３をなす方向に向けて一方の面５０ａの側から反射して出射する再生光Ｌｏ２として、回折する。なお、本実施の形態において、反射型ホログラム５０の第１面５０ａおよび第２面５０ｂは互いに平行な平坦面として構成されている。したがって、第１面５０ａへの法線方向ｎｄ３と第２面５０ｂへの法線方向ｎｄ３は一致し（平行となり）、以下においては、これら二つの法線方向を単に、反射型ホログラム５０の法線方向ｎｄ３、とも呼ぶ。
【００８７】
すなわち、法線方向ｎｄ３に対して時計回りを正として第２角度θ４をなす方向に沿って一方の面５０ａから反射型ホログラム５０へ入射する光Ｌａ２は、反射型ホログラム５０の縞状パターン（干渉縞）５２のブラッグ条件を満たすようになる。ここで、ブラッグの反射条件が満たされるとは、第１の実施の形態において説明した式（１）が満たされることに相当する。
【００８８】
なお、第２の実施の形態においては、図９に示すように、理解のしやすさの便宜を図り、反射型ホログラム５０が、法線方向ｎｄ３に対して時計回りを正として第２角度θ４をなす方向に沿って一方の面５０ａから入射する平行光束としての再生照明光Ｌａ２を、法線方向ｎｄ３に対して時計回りを正として第１角度θ３をなす方向に沿って一方の面５０ａから出射する平行光束からなる再生光Ｌｂ２として、回折する例を示している。ただし、これに限られず、第２の実施の形態においても上述した第１の実施の形態と同様に、再生照明光Ｌａ２が、法線方向ｎｄ３に対して時計回りを正として第２角度θ４をなす方向を一つの光路として含む発散光束、収束光束または散乱光束であってもよい。同様に、再生光Ｌｂ２が、法線方向ｎｄ３に対して時計回りを正として第１角度θ３をなす方向を一つの光路として含む発散光束、収束光束または散乱光束であってもよい。
【００８９】
次に、主に図１０〜図１３を参照しながら、以上のような反射型ホログラム５０を製造する方法の一例について説明する。
【００９０】
以下に説明するホログラムの製造方法は、図１０に示すように、反射型ホログラム原版９０を含み互いに対向する第１面８０ａおよび第２面８０ｂを有した記録原版８０を、ホログラム記録材料７０に対して傾斜して且つホログラム記録材料７０に対向するようして配置する工程と、ホログラム記録材料７０を透過した後に、反射型ホログラム原版９０のブラッグ条件を満たすようにして記録原版８０へ第１面８０ａの側から入射するよう、ホログラム記録材料７０へ一方の面７０ａの側から光Ｌｒ２を照射するとともに、反射型ホログラム原版８０で回折されてなる１次光（回折光）Ｌｏ２をホログラム記録材料７０へ他方の面７０ｂの側から照射する工程と、を含んでいる。すなわち、以下に説明するホログラムの製造方法では、体積型ホログラム５０は、記録原版８０を用いてホログラム記録材料７０に干渉縞を記録する、いわゆるＨ１Ｈ２法により作製される。
【００９１】
まず、反射型ホログラム５０の作製に用いられる記録原版８０について説明し、その後、記録原版８０をホログラム記録材料７０に対して配置する工程と、ホログラム記録材料７０に干渉縞５２ａを記録して縞状パターン５２を形成する工程と、を説明する。
【００９２】
図１０に示すように、記録原版８０は、反射型ホログラム原版９０を含み、互いに平行に対向する第１面８０ａおよび第２面８０ｂを有している。また、本実施の形態においては、記録原版８０は、反射型ホログラム原版９０の第１面９０ａの側に配置されて記録原版８０の第１面８０ａをなす反射防止層９６と、反射型ホログラム原版９０の第２面９０ｂの側に配置されて記録原版８０の第２面８０ｂをなす光吸収層９７と、をさらに有している。反射防止層９６は反射を抑制する特性を有し、光吸収層９７は光を吸収する特性を有している。また、反射防止層９６および光吸収層９７と反射型ホログラム原版９０との間には、急激な屈折率差が生じることや空隙が形成されることを防止するため、インデックスマッチング液からなるインデックスマッチング層が設けられてもよいし、その他、光学接着剤や粘着層付きフィルム等が設けられてもよい。
【００９３】
なお、反射防止層９６は一定の厚みを有しており、反射型ホログラム原版８０の第１面９０ａは記録原版８０の第１面８０ａと平行になっている。また、光吸収層９７も一定の厚みを有しており、反射型ホログラム原版９０の第２面９０ａは記録原版８０の第２面８０ａと平行になっている。
【００９４】
図１０に示すように、記録原版８０は、記録原版８０の第１面８０ａへの法線方向ｎｄ４を通過する基準断面（図１０に示す断面）において当該法線方向ｎｄ４に対して反時計回りを正として第１角度θ３をなす方向から記録原版８０へ第１面８０ａの側から入射する光Ｌｒ２が、反射型ホログラム原版９０で回折された回折光Ｌｏ４として、前記基準断面（図１０に示す断面）において法線方向ｎｄ４に対して反時計回りを正として第２角度θ４をなす方向に反射されて第１面８０ａの側から出射するようになっている。なお、本実施の形態において、記録原版８０の第１面８０ａおよび第２面８０ｂは互いに平行な平坦面として構成されている。したがって、第１面８０ａへの法線方向ｎｄ４と第２面８０ｂへの法線方向ｎｄ４は一致し（平行となり）、以下においては、これら二つの法線方向を単に、記録原版８０の法線方向ｎｄ４、とも呼ぶ。またここで、第１角度θ３および第２角度θ４は、±９０°の範囲内の任意の角度であって、さらには、大きさの絶対値が互いに異なっている角度である。
【００９５】
ところで、実際には、記録原版８０の第１面８０ａにおいて、並びに、記録原版８０内の層間において、屈折が生じる。さらには、後述するホログラム記録材料７０の第１面７０ａおよび第２面７０ｂにおいても、屈折が生じ、ホログラム記録材料７０に反射防止層との別途の層が積層されていれば、当該反射防止層に起因した屈折も生じる。しかしながら、本明細書における説明および添付図においては、理解しやすさの便宜から、これらの屈折を無視して、光が各界面を直進するようにしている。
【００９６】
図１１には、記録原版８０に含まれた透過型の体積型ホログラムからなる反射型ホログラム原版９０の回折作用が図示されている。図１１に示すように、互いに平行な第１面９０ａおよび第２面９０ｂを有する反射型ホログラム原版９０は、その法線方向ｎｄ４に対して反時計回りを正として第１角度θ３をなす方向に沿って第１面９０ａの側から入射する第１波長の再生照明光Ｌ１１１を回折して、その法線方向ｎｄ４に対して反時計回りを正として第２角度θ４をなす方向に反射させて第２面９０ｂの側から、再生光Ｌ１１２として、出射させるようになる。すなわち、反射型ホログラム原版９０は、その法線方向ｎｄ４に対して反時計回りを正として第１角度θ３をなす方向に沿って第１面９０ａの側から入射する第１波長の光によってブラッグ反射条件が満たされるようになる縞状パターン（干渉縞）９２を有している。
【００９７】
図１１に示された回折機能を発揮し得る反射型ホログラム原版９０は、一例として、図１２に示すようにして、作製することができる。すなわち、第１波長のコヒーレントな光、典型的にはレーザ光源から発振された第１波長のレーザ光を、参照光Ｌ１２１として感光性を有したホログラム記録材料９５に第１面９５ａの側から入射させるとともに、物体光Ｌ１２２としてホログラム記録材料９５に第１面９５ａに対向する第２面９５ｂの側から入射させる。このうち参照光Ｌ１２１は、ホログラム記録材料９５への法線方向ｎｄ４ａに対して反時計回りを正として第１角度θ３をなす方向に進む。一方、物体光Ｌ１２２は、ホログラム記録材料９５への法線方向ｎｄ４ａに対して反時計回りを正として第２角度θ４をなす方向に進む。
【００９８】
この結果、ホログラム記録材料９５が参照光Ｌ１２１および物体光Ｌ１２２によって露光され、参照光Ｌ１２１および物体光Ｌ１２２が干渉してなる明暗の縞９２ａが縞状パターン９２として記録される。干渉縞９２ａが縞状パターン９２として記録されたホログラム記録材料９５に適当な後処理を施すことによって、上述した反射型ホログラム原版９０が得られる。
【００９９】
この際、参照光Ｌ１２１と物体光Ｌ１２２とが干渉してなる明暗の縞９２ａは、参照光Ｌ１２１の進行方向と物体光Ｌ１２２の進行方向とのによってなされる角の二等分線と平行な方向に延びるようになる。これにともなって、ホログラム記録材料９５に記録される縞状パターン９２も、参照光Ｌ１２１の進行方向と物体光Ｌ１２２との進行方向によってなされる角の二等分線と平行な方向に延びるようになる。
【０１００】
ホログラム記録材料９５の法線方向ｎｄ４ａは、反射型ホログラム原版９０の法線方向ｎｄ４に一致するようになる。また、ホログラム記録材料９５の第１面９５ａおよび第２面９５ｂが、それぞれ、反射型ホログラム原版９０の第１面９０ａおよび第２面９０ｂに一致するようになる。
【０１０１】
また、反射型ホログラム原版９０を作製する際に用いられた参照光Ｌ１２１（図１２参照）は、反射型ホログラム原版９０を再生する際の再生照明光Ｌ１１１（図１１参照）と、同一の立体構成を有している。より厳密には、反射型ホログラム原版９０を作製する際に用いられた参照光Ｌ１２１の、ホログラム記録材料９５への法線方向ｎｄ４ａに対して反時計回りを正として第１角度θ３をなす方向を基準とした、立体構成が、反射型ホログラム原版９０を再生する際の再生照明光Ｌ１１１の、反射型ホログラム原版９０への法線方向ｎｄ４に対して反時計回りを正として第１角度θ３をなす方向を基準とした、立体構成と同一となっている。
【０１０２】
同様に、反射型ホログラム原版９０を作製する際に用いられた物体光Ｌ１２２（図１２参照）は、反射型ホログラム原版９０によって再生された再生光Ｌ１１２（図１１参照）と、同一の立体構成を有している。より厳密には、反射型ホログラム原版９０を作製する際に用いられた物体光Ｌ１２２の、ホログラム記録材料９５への法線方向ｎｄ４ａに対して反時計回りを正として第２角度θ４をなす方向を基準とした、立体構成が、反射型ホログラム原版９０によって再生された再生光Ｌ１１２の、反射型ホログラム原版９０への法線方向ｎｄ４に対して反時計回りを正として第２角度θ４をなす方向を基準とした、立体構成と同一となっている。
【０１０３】
なお、ここで立体構成とは、既に第１の実施の形態において説明した通りであり、各光の光束として立体的な構成を指すものである。
【０１０４】
次に、記録原版８０をホログラム記録材料７０に対して配置する工程について説明する。
【０１０５】
ここでは、まず、反射型ホログラム５０を作製するためのホログラム記録材料７０を準備し、このホログラム記録材料７０に対して記録原版８０を位置決めする。反射型ホログラム５０を作製するためのホログラム記録材料７０としては、上述の第１の実施の形態で説明した透過型ホログラム１０を作製するためのホログラム記録材料２０と同様に、例えば、フォトポリマー、銀塩乳剤、重クロム酸ゼラチン、フォトレジスト等を用いることができる。また、ホログラム記録材料９０の形体としては、フィルム単体であってもよいし、ガラス上に保持された材料であってもよいし、あるいは、一対のガラス間に注入された材料であってもよい。なお、上述した反射型ホログラム原版９０を作製するためのホログラム記録材料９５についても、ここで例示したものを用いることができる。
【０１０６】
図１０に示すように、準備されたホログラム記録材料７０の第２面７０ｂに記録原版８０の第１面８０ａが対面し、且つ、記録原版８０の第１面８０ａへの法線方向ｎｄ４を通過する前記基準断面（図１０に示す断面）における第１面８０ａがホログラム記録材料７０の第２面７０ｂに対して時計回りを正として、第２角度θ４および第１角度θ３を足し合わせた角度（θ１＋θ２）だけ傾斜するようにして、記録原版８０をホログラム記録材料７０に対して位置決めする。図１０に示す例において、第１角度θ３は１０°であり、第２角度θ４は３０°となっており、第１角度θ３および第２角度θ４を足し合わせた角度は４０°となっている。このような位置決め状態で、次に説明するホログラム記録材料７０に干渉縞５２ａを記録する工程が実施される。
【０１０７】
次に、ホログラム記録材料７０に干渉縞５２を記録する工程について説明する。
【０１０８】
この工程では、第１波長のコヒーレントな参照光Ｌｒ２、典型的にはレーザ光源で発生された参照光Ｌ２ｒを、ホログラム記録材料７０に第１面７０ａの側から入射させる。ホログラム記録材料７０に入射した参照光Ｌ２ｒは、その後、ホログラム記録材料７０を透過して、反射型ホログラム原版９０のブラッグ条件を満たすようにして、記録原版８０へ第１面８０ａの側から入射する。
【０１０９】
なお、記録原版８０へ入射させる参照光Ｌｒ２としては、ヘリウム−ネオンレーザー、アルゴンイオンレーザー、クリプトンイオンレーザー、ネオジウムヤグレーザー等のレーザ光源から発振されたレーザ光を用いることができる。なお、上述した反射型ホログラム原版９０を作製するために用いる参照光Ｌ１２１および物体光Ｌ１２２についても、ここで例示したレーザ光を用いることができる。
【０１１０】
図１０に示す例においては、参照光Ｌｒ２のホログラム記録材料７０への入射方向は、記録原版８０の法線方向ｎｄ４を通過する前記基準断面（図１０に示す断面）において当該記録原版８０に対して所定角度傾斜して配置されたホログラム記録材料７０への法線方向ｎｄ３ａに対し、前記基準断面を通る断面において（図１０に示す断面）、時計回りを正として第２角度θ４だけ傾斜した方向となっている。
【０１１１】
上述したように、前記基準断面（図１０に示す断面）において、記録原版８０の第１面８０ａがホログラム記録材料７０の第２面７０ｂに対して時計回りを正として、第１角度θ３および第２角度θ４を足し合わせた角度（θ３＋θ４）だけ傾斜している。したがって、図１０に示すように、ホログラム記録材料７０を透過した参照光Ｌｒ２は、記録原版８０の第１面８０ａへの法線方向ｎｄ４に対して反時計回りを正として第１角度θ３だけ傾斜して記録原版８０へ第１面８０ａの側から入射する。このような参照光Ｌｒ２は、再生照明光として機能し、反射型ホログラム原版９０の縞状パターン９２によって回折され、その進行方向を偏向される。そして、縞状パターン９２で回折されてなる１次回折光（再生光）Ｌｏ２は、記録原版８０の法線方向ｎｄ４に対して反時計回りを正として第２角度θ４だけ傾斜した方向に向け、記録原版８０の第１面８０ａの側から出射するようになる。
【０１１２】
次に、記録原版８０からの１次光Ｌｏ２は、ホログラム記録材料７０へ第２面７０ｂの側から入射するようになる。このとき、図１０に示すように、記録原版８０で反射された１次光Ｌｏ２は、ホログラム記録材料７０の第２面７０ｂへの法線方向ｎｄ３ａに対して時計回りを正として第１角度θ３だけ傾斜して、ホログラム記録材料７０へ第２面７０ｂの側から、物体光として、入射する。なお、ホログラム記録材料７０はフィルム状に形成され、第１面７０ａおよび第２面７０ｂは互いに平行な平坦面として構成されている。この結果、図１３に簡略化して示すように、参照光Ｌｒ２が、ホログラム記録材料７０の法線方向ｎｄ３ａに対して正面方向を正として第２角度θ４だけ傾斜した方向に沿って、ホログラム記録材料７０へ第１面７０ａの側から入射するとともに、物体光Ｌｏ２が、ホログラム記録材料７０の法線方向ｎｄ３ａに対して正面方向を正として第１角度θ３だけ傾斜した方向に沿って、ホログラム記録材料７０へ第２面７０ｂの側から入射する。
【０１１３】
ホログラム記録材料７０へ参照光Ｌｒ２および物体光（１次光）Ｌｏ２が露光されると、ホログラム記録材料７０内において、参照光Ｌｒ２と物体光Ｌｏ２とが干渉し、明暗の縞からなる光の干渉縞５２ａが形成される。感光性を有したホログラム記録材料７０は、この明暗の縞５２ａに対応して反応する。この結果、ホログラム記録材料７０内に、この明暗の縞５２ａに対応したパターンの干渉縞（縞状パターン）５２が形成され、回折機能が付与される。一例として、ホログラム記録材料７０がフォトポリマーからなる場合には、屈折率変調パターンからなる縞状パターン５２として干渉縞５２ａが記録される。とりわけ、本実施の形態による製造方法によれば、ホログラム記録材料７０に形成される縞状パターン５２は、理論的には、記録原版８０の透過型ホログラム原版９０の縞状パターン９２と法線方向を対称軸線として対称的な構成を有し、記録原版８０の透過型ホログラム原版９０の干渉縞９２と同一の空間周波数を有するようになる。
【０１１４】
なお、参照光Ｌｒ２と物体光Ｌｏ２とが干渉してなる明暗の縞は、参照光Ｌｒ２の進行方向と物体光Ｌｏ２の進行方向とのによってなされる角の二等分線と平行な方向に延びるようになる。これにともなって、ホログラム記録材料７０に記録される干渉縞５２も、参照光Ｌｒ２の進行方向と物体光Ｌｏ２の進行方向とのによってなされる角の二等分線と平行な方向に延びるようになる。
【０１１５】
なお、図１０に示すように、記録原版８０のホログラム記録材料７０に対面していない側の面上には、遮光層９７が設けられている。この遮光層９７により、記録原版９０の第２面９０ｂでの意図しない反射を防止することができ、これにより、不要な干渉縞がホログラム記録材料７０に記録されてしまうことを防止することができる。
【０１１６】
縞状パターン（干渉縞）５２が形成されたホログラム記録材料７０は、その後、後処理工程を施され、ホログラム記録材料７０から反射型ホログラム５０が得られるようになる。ホログラム記録材料７０の法線方向ｎｄ３ａは、作製された反射型ホログラム５０の法線方向ｎｄ３に一致するようになる。また、ホログラム記録材料７０の第１面７０ａおよび第２面７０ｂが、それぞれ、反射型ホログラム５０の第１面５０ａおよび第２面５０ｂに一致するようになる。
【０１１７】
なお、反射型ホログラム５０を作製する際に用いられた参照光Ｌｒ２（図１０および図１３参照）の立体構成は、製造された反射型ホログラム５０を再生するための再生照明光Ｌａ２（図９参照）の立体構成と、同一となっている。より厳密には、反射型ホログラム５０を作製する際に用いられた参照光Ｌｒ２の、ホログラム記録材料７０への法線方向ｎｄ３ａに対して時計回りを正として第２角度θ４をなす方向を基準とした、立体構成が、反射型ホログラム５０を再生するための再生照明光Ｌａ２の、反射型ホログラム５０への法線方向ｎｄ３に対して時計回りを正として第２角度θ４をなす方向を基準とした、立体構成と同一となっている。
【０１１８】
同様に、反射型ホログラム５０を作製する際に用いられた物体光（１次光）Ｌｏ２（図１０および図１３参照）の立体構成は、製造された反射型ホログラム５０によって再生された再生光Ｌｂ２（図９参照）の立体構成と、同一となっている。より厳密には、反射型ホログラム５０を作製する際に用いられた物体光（１次光）Ｌｏ２の、ホログラム記録材料７０への法線方向ｎｄ３ａに対して時計回りを正として第１角度θ３をなす方向を基準とした、立体構成が、反射型ホログラム５０によって再生される再生光Ｌｂ２の、反射型ホログラム５０への法線方向ｎｄ３に対して時計回りを正として第１角度θ３をなす方向を基準とした、立体構成と同一となっている。
【０１１９】
以上のような第２の実施の形態による製造方法によれば、記録原版８０とホログラム記録材料７０との間には空気のみが介在している。すなわち、記録原版８０は、ホログラム記録材料７０から離間して配置されている。この点において、第２の実施の形態による製造方法によれば、第１の実施の形態による製造方法と同様の作用効果を得ることができる。
【０１２０】
すなわち、新たなホログラム記録材料７０に干渉縞５２を記録する度に、記録原版８０とホログラム記録材料７０とをインデックスマッチング液を介して積層する必要を省くことができる。これにより、インデックスマッチング液の塗布およびその清掃といった煩雑な作業を省くことができ、且つ、この煩雑な作業中に生じる記録原版の損傷といった不具合を回避することができる。
【０１２１】
また、第２の実施の形態によれば、ホログラム記録材料７０と記録原版８０とを互いに対して傾斜して配置した状態で、ホログラム記録材料７０への露光を行うようになっている。このため図６を参照しながら説明した第１の実施の形態と同様に、ホログラム記録材料７０と記録原版８０との間隔が変化していく方向（即ち図６の左右方向）に僅かにずれた二つの位置の間で、ホログラム記録材料７０と記録原版８０との間隔が、可視光線の波長オーダーとは異なる大きなオーダーで変化することになる。この結果、いわゆる薄膜干渉の原理にしたがい、ホログラム記録材料７０と記録原版８０との間で反射を繰り返す反射光Ｌｆ（図７参照）と、ホログラム記録材料７０から記録原版８０へと進む参照光Ｌｒ２または記録原版８０からホログラム記録材料７０へと進む物体光（１次光）Ｌｏ２と、の干渉に起因した明暗縞が出現していたとしても、目視では、当該明暗縞の明部と暗部とを分解して識別すること不可能となる。したがって、視認され得る程度に空間周波数が低い不要な明暗縞がホログラム記録材料７０に記録されてしまうことを防止することができる。
【０１２２】
すなわち、第２の実施の形態によれば、視認され得る程度の不要な明暗縞がホログラム記録材料７０に記録されることを安定して防止することができる。さらには、記録原版８０を用いたホログラムの量産において、ホログラム記録材料７０上に、都度、反射防止層を形成するといった極めて煩雑な作業を省くことも可能にすることもできる。この結果、優れた意匠性と高い識別性を有した反射型ホログラム５０を安定して容易に製造することができる。
【０１２３】
なお、以上の第２の実施の形態に対して様々な変更を加えることが可能である。以下、変形の一例について説明する。
【０１２４】
例えば、上述した第２の実施の形態において、記録原版８０が、反射型ホログラム原版９０と、反射防止層９６と、光吸収層９７と、からなる例を示したが、これに限られない。一例として、光吸収層９７を記録原版８０から省いてもよいし、光吸収層９７に代えて第２の反射防止層を設けてもよい。なお、記録原版８０から光吸収層９７を省く場合には、記録原版８０の第２面８０ｂに対面する位置に、記録原版８０から離間して、光を吸収する機能を有した光吸収層を設けても良い。
【０１２５】
また、上述した第２の実施の形態において、記録原版８０の第１面８０ａおよび第２面８０ｂが互いに対して平行な平坦面からなる例を示したが、これに限られない。第１の実施の形態に対する変形例として図７を参照しながら既に説明したように、記録原版８０の第１面８０ａおよび第２面８０ｂが互いに対して傾斜した平坦面からなるようにしてもよい。このような変形例によれば、図７を参照しながら既に説明したように、記録原版８０の第１面８０ａでの反射光と第２面８０ｂでの反射光との干渉によって生じる明暗の縞を目立たなくさせることができる。なお、一例として、互いに対して傾斜した一対の平坦な主面３８ａ，３８ｂを有した透明部材３８（図７参照）を、記録原版８０に組み込むことによって、記録原版８０の第１面８０ａおよび第２面８０ｂを互いに対して傾斜させることができる。
【０１２６】
なお、上述してきたように記録原版８０のホログラム記録材料２０に対面する第１面８０ａは、ホログラム記録材料７０の表面に対して所定の角度をなすように、位置決めされている。したがって、記録原版８０の第１面８０ａおよび第２面８０ｂを互いに対して傾斜させる場合には、ホログラム記録材料７０に対面する第１面８０ａのホログラム記録材料２０に対する角度を維持しながら、第１面８０ａに対して第２面８０ｂを傾斜させるようにする。
【０１２７】
また、上述した第２の実施の形態において、記録原版８０の反射型ホログラム原版９０で回折されてなる物体光（１次光）Ｌｏ２の出射方向が、記録原版８０への法線方向ｎｄ４に対して反時計回りを正としてなす角度である第２角度θ４と、記録原版８０の反射型ホログラム原版９０のブラッグ回折条件を満たすようになる参照光Ｌｒ２の記録原版８０への入射方向が、記録原版８０への法線方向ｎｄ４に対して反時計回りを正としてなす角度である第１角度θ３とが、同一符号（例えば、第１角度θ３が１０°で、第２角度θ４が３０°であり、両角度θ１，θ２とも正の値）となっている例を示したが、これに限られない。例えば、第１角度θ１が−１０°で、第２角度θ２が３０°となるようにしてもよい。このような変形例によっても、その一方の面５０ａへの法線方向ｎｄ３を通過するある面において、当該法線方向ｎｄ３に対して時計回りを正として第２角度θ４をなす方向に進んで前記一方の面５０ａの側から入射する第１波長の再生照明光Ｌａ２を、一方の面５０ａへの法線方向ｎｄ３に対して時計回りを正として第１角度θ３をなす方向に向けて一方の面５０ａの側から反射して出射する再生光Ｌｏ２として、回折する、ように構成された反射型ホログラム５０を作製することができる。
【０１２８】
さらに、上述した第２の実施の形態において、反射型ホログラム５０を作製する際に用いられる参照光Ｌｒ２および物体光Ｌｏ２の波長を、製造された反射型ホログラム５０の使用時に当該反射型ホログラム５０で回折すべき再生照明光Ｌａ２および再生光Ｌｂ２と同様に、第１波長とした例を示したが、これに限られない。記録原版８０の反射型ホログラム原版９０は、第１波長以外の波長を有する光であっても、そのブラッグ回折条件を満たす入射角度で入射する光を、高い回折効率で回折するようになる。そして、ホログラム記録材料７０と記録原版８０とを上述した条件で配置した状態で、記録原版８０の反射型ホログラム原版９０のブラッグ条件を満たすようにして、第１波長以外の波長の光を入射させた場合においても、上述した実施の形態と同様の作用効果を享受しながら、図９に示された反射型ホログラム５０を作製することができる。
【０１２９】
なお、以上において第２の実施の形態に対するいくつかの変形例を説明してきたが、当然に、複数の変形例を適宜組み合わせて適用することも可能である。
【符号の説明】
【０１３０】
１０  透過型ホログラム（ホログラム）
１０ａ  第１面
１０ｂ  第２面
１２  縞状パターン（干渉縞）
１２ａ  明暗縞（干渉縞）
２０  ホログラム記録材料
２０ａ  第１面
２０ｂ  第２面
３０  記録原版
３０ａ  第１面
３０ｂ  第２面
３６  反射防止層（第１反射防止層）
３７  反射防止層（第２反射防止層）
３８  透明部材
３８ａ  主面（第１面）
３８ｂ  主面（第２面）
４０  透過型ホログラム原版
４０ａ  第１面
４０ｂ  第２面
４２  縞状パターン（干渉縞）
４２ａ  明暗縞（干渉縞）
４５  ホログラム記録材料
４５ａ  第１面
４５ｂ  第２面
５０  反射型ホログラム（ホログラム）
５０ａ  第１面
５０ｂ  第２面
５２  縞状パターン（干渉縞）
５２ａ  明暗縞（干渉縞）
７０  ホログラム記録材料
７０ａ  第１面
７０ｂ  第２面
８０  記録原版
８０ａ  第１面
８０ｂ  第２面
９０  透過型ホログラム原版
９０ａ  第１面
９０ｂ  第２面
９２  縞状パターン（干渉縞）
９２ａ  明暗縞（干渉縞）
９５  ホログラム記録材料
９５ａ  第１面
９５ｂ  第２面
９６  反射防止層
９７  光吸収層
【図１】
2011232511.tif 000003
【図２】
2011232511.tif 000004
【図３】
2011232511.tif 000005
【図４】
2011232511.tif 000006
【図５】
2011232511.tif 000007
【図６】
2011232511.tif 000008
【図７】
2011232511.tif 000009
【図８】
2011232511.tif 000010
【図９】
2011232511.tif 000011
【図１０】
2011232511.tif 000012
【図１１】
2011232511.tif 000013
【図１２】
2011232511.tif 000014
【図１３】
2011232511.tif 000015
【図１４】
2011232511.tif 000016